(57)【要約】【課題】スマートフォンに表示される表示画面情報を、タブレット装置の大画面を生かした拡大表示する。【解決手段】縦長の画面を具備して縦持ちの状態で操作されるスマートフォン１００の画面に表示される表示画面情報Ａを、横長の画面を具備して横持ちの状態で操作されるタブレット装置２００にて取得して表示する際に、スマートフォン１００から取得した表示画面情報Ａが横長の画面用のものではない場合、表示画面情報Ａを、９０度回転させ、縦横のアスペクト比を同率としてタブレット装置２００の画面いっぱいに拡大して表示する。【選択図】図５
2013120472.tif 000002
【特許請求の範囲】
【請求項１】
縦長の画面を具備して縦持ちの状態で操作されるスマートフォンと接続可能に構成され、横長の画面を具備して横持ちの状態で操作されるタブレット装置であって、
前記スマートフォンの画面に表示される表示画面情報を取得する情報取得手段と、
前記情報取得手段にて取得した表示画面情報が横長の画面用のものではない場合、当該表示画面情報を、９０度回転させ、前記横長の画面に応じたレイアウト枠内にて縦横のアスペクト比を同率として拡大して表示する制御手段とを有するタブレット装置。
【請求項２】
請求項１に記載のタブレット装置において、
前記タブレット装置に加わる加速度を検出する加速度検出手段を有し、
前記制御手段は、前記タブレット装置が横持ちの状態で操作されている場合は、前記加速度検出手段にて検出された加速度について前記横長に直交する方向を上下方向として認識し、前記情報取得手段にて取得した表示画面情報を９０度回転させて前記拡大して表示している場合は、前記加速度検出手段にて検出された加速度について前記横長の方向を上下方向として認識するタブレット装置。
【請求項３】
請求項２に記載のタブレット装置において、
前記情報取得手段にて取得した表示画面情報を９０度回転させて前記拡大して表示するかどうかを指定するための指定手段を有し、
前記制御手段は、前記指定手段にて、前記情報取得手段にて取得した表示画面情報を９０度回転させて前記拡大して表示する旨が指定されている場合にのみ、前記情報取得手段にて取得した表示画面情報を９０度回転させて前記拡大して表示するとともに、前記加速度検出手段にて検出された加速度について前記横長の方向を上下方向として認識するタブレット装置。
【請求項４】
請求項１乃至３のいずれか１項に記載のタブレット装置において、
前記制御手段は、前記９０度の回転を、前記タブレット装置が横持ちの状態で操作されている場合に対して右方向及び左方向のいずれか一方に任意に設定可能であるタブレット装置。
【請求項５】
請求項１乃至４のいずれか１項に記載のタブレット装置において、
前記制御手段は、前記情報取得手段にて取得した表示画面情報を、９０度回転させ、前記横長の画面いっぱいに縦横のアスペクト比を同率として拡大して表示するタブレット装置。
【請求項６】
縦長の画面を具備して縦持ちの状態で操作されるスマートフォンの画面に表示される表示画面情報を、横長の画面を具備して横持ちの状態で操作されるタブレット装置にて取得して表示する情報表示方法であって、
前記スマートフォンから取得した表示画面情報が横長の画面用のものではない場合、当該表示画面情報を、９０度回転させ、前記横長の画面に応じたレイアウト枠内にて縦横のアスペクト比を同率として拡大して表示する情報表示方法。
【請求項７】
請求項６に記載の情報表示方法において、
前記タブレット装置が横持ちの状態で操作されている場合は、検出された加速度について前記横長に直交する方向を上下方向として認識し、前記スマートフォンから取得した表示画面情報を９０度回転させて前記拡大して表示している場合は、検出された加速度について前記横長の方向を上下方向として認識する情報表示方法。
【請求項８】
請求項７に記載の情報表示方法において、
前記スマートフォンから取得した表示画面情報を９０度回転させて前記拡大して表示する旨が指定されている場合にのみ、前記スマートフォンから取得した表示画面情報を９０度回転させて前記拡大して表示するとともに、前記検出された加速度について前記横長の方向を上下方向として認識する情報表示方法。
【請求項９】
請求項６乃至８のいずれか１項に記載の情報表示方法において、
前記９０度の回転を、前記タブレット装置が横持ちの状態で操作されている場合に対して右方向及び左方向のいずれか一方に任意に設定可能である情報表示方法。
【請求項１０】
請求項６乃至９のいずれか１項に記載の情報表示方法において、
前記スマートフォンから取得した表示画面情報を、９０度回転させ、前記横長の画面いっぱいに縦横のアスペクト比を同率として拡大して表示する情報表示方法。
【発明の詳細な説明】
【技術分野】
【０００１】
本発明は、スマートフォンと接続されることにより、スマートフォンの画面に表示される情報を表示するタブレット装置及び情報表示方法に関する。
【背景技術】
【０００２】
ユーザーが、スマートフォンをタブレット装置に接続した際に期待することは、スマートフォンの表示よりも大きな表示でメール等を読んだり、メニュー等を操作したりできることであるが、縦長の画面を具備して縦持ちの状態で操作されるスマートフォンを、横長の画面を具備して横持ちの状態で操作されるタブレット装置に接続し、スマートフォンの画面に表示される表示画面情報をタブレット装置の画面に表示する場合、スマートフォンの画面に表示される表示画面情報に横画の画面用のレイアウトが存在しないと、縦画の画面用のレイアウトがそのままタブレット装置の画面上に表示されることになるため、タブレット装置の大画面を生かした拡大表示ができないという問題点がある。特に、タブレット装置の縦解像度がスマートフォンの縦解像度よりも小さな場合（例えば、スマートフォンの縦解像度が８００ｄｏｔでタブレット装置の縦解像度が６００ｄｏｔの場合）においては、スマートフォンの画面に表示される表示画面情報を、タブレット装置の縦解像度に合わせて、縦横アスペクト比同率で縮小したものをセンタリングして表示するしかないため、タブレット装置の横長画面を生かすことができず、むしろ縮小表示になってしまうことになる。
【０００３】
また、タブレット装置を横持ちの状態から縦持ちの状態にして、加速度センサーを用いたゲームやアプリケーションを利用しようとしても、タブレット装置は、横長に直交する方向を上下方向とし認識しているため、縦持ちの状態として利用することができないという問題点がある。
【０００４】
図７は、スマートフォンの画面に表示される表示画面情報をタブレット装置の画面に表示する場合の問題点を説明するための図であり、（ａ）はスマートフォンの画面に表示される表示画面情報が縦長の画面用のものである場合を示す図、（ｂ）はスマートフォンの画面に表示される表示画面情報が横長の画面用のものである場合を示す図である。
【０００５】
図７（ａ）に示すように、縦長の画面を具備して縦持ちの状態で操作されるスマートフォン３００の画面に表示される表示画面情報Ａを、横長の画面を具備して横持ちの状態で操作されるタブレット装置４００にて表示する場合、スマートフォン３００の画面に表示される表示画面情報Ａが縦長の画面用のものである場合は、スマートフォン３００がタブレット装置４００に接続されると、表示画面情報Ａをタブレット装置４００にて拡大表示する場合であっても、スマートフォン３００の縦方向の解像度よりもタブレット装置４００の縦方向の解像度が大きくないと表示画面情報Ａが拡大されずにセンタリング表示されることになる。そして、タブレット装置４００を９０度回転させると、タブレット装置４００にて下向きとして認識される方向が重力の向きと異なることになる。
【０００６】
一方、スマートフォン３００の画面に表示される表示画面情報Ａ’が横長の画面用のものである場合は、スマートフォン３００がタブレット装置４００に接続されると、図７（ｂ）に示すように、横長の画面用の表示画面情報Ａ’が拡大表示されることになるが、これは、本来、スマートフォン３００の画面に表示される縦長の画面用の表示画面情報Ａとは別個に用意されている。
【０００７】
ここで、携帯電話機を外部表示デバイスに接続することにより、携帯電話機にて表示される情報を拡大して外部表示デバイスに表示する技術が考えられており、特許文献１に開示されている。
【先行技術文献】
【特許文献】
【０００８】
【特許文献１】特開２０１０−１６５２８９号公報
【発明の概要】
【発明が解決しようとする課題】
【０００９】
しかしながら、特許文献１に開示された技術においては、携帯電話機にて表示される情報をそのままの向きで拡大して外部表示デバイスに表示するだけのものであるため、上述したような問題点は解決できない。
【００１０】
本発明は、上述したような技術が有する問題点に鑑みてなされたものであって、スマートフォンに表示される表示画面情報を、タブレット装置の大画面を生かした拡大表示ができるタブレット装置及び情報表示方法を提供することを目的とする。
【課題を解決するための手段】
【００１１】
上記目的を達成するために本発明は、
縦長の画面を具備して縦持ちの状態で操作されるスマートフォンと接続可能に構成され、横長の画面を具備して横持ちの状態で操作されるタブレット装置であって、
前記スマートフォンの画面に表示される表示画面情報を取得する情報取得手段と、
前記情報取得手段にて取得した表示画面情報が横長の画面用のものではない場合、当該表示画面情報を、９０度回転させ、前記横長の画面に応じたレイアウト枠内にて縦横のアスペクト比を同率として拡大して表示する制御手段とを有する。
【００１２】
また、縦長の画面を具備して縦持ちの状態で操作されるスマートフォンの画面に表示される表示画面情報を、横長の画面を具備して横持ちの状態で操作されるタブレット装置にて取得して表示する情報表示方法であって、
前記スマートフォンから取得した表示画面情報が横長の画面用のものではない場合、当該表示画面情報を、９０度回転させ、前記横長の画面に応じたレイアウト枠内にて縦横のアスペクト比を同率として拡大して表示する。
【発明の効果】
【００１３】
以上説明したように本発明においては、縦長の画面を具備して縦持ちの状態で操作されるスマートフォンの画面に表示される表示画面情報を、横長の画面を具備して横持ちの状態で操作されるタブレット装置にて取得して表示する場合に、スマートフォンから取得した表示画面情報が横長の画面用のものではない場合、スマートフォンから取得した表示画面情報を、９０度回転させ、横長の画面に応じたレイアウト枠内にて縦横のアスペクト比を同率として拡大して表示する構成としたため、スマートフォンに表示される表示画面情報を、タブレット装置の大画面を生かした拡大表示ができる。
【図面の簡単な説明】
【００１４】
【図１】本発明のタブレット装置を用いた情報表示方法を行うための構成を示す図である。
【図２】図１に示したスマートフォンの回路構成の要部を示すブロック図である。
【図３】図１に示したタブレット装置の回路構成の要部を示すブロック図である。
【図４】図１〜図３に示した構成においてスマートフォンの表示部に表示される表示画面情報をタブレット装置の表示部に表示する際の処理の一例を説明するためのフローチャートである。
【図５】図１〜図３に示した構成においてスマートフォンの表示部に表示される表示画面情報をタブレット装置の表示部に表示する際の処理の一例を説明するための図である。
【図６】図１〜図３に示した構成においてスマートフォンの表示部に表示される表示画面情報をタブレット装置の表示部に表示する際の処理の他の例を説明するためのフローチャートである。
【図７】スマートフォンの画面に表示される表示画面情報をタブレット装置の画面に表示する場合の問題点を説明するための図であり、（ａ）はスマートフォンの画面に表示される表示画面情報が縦長の画面用のものである場合を示す図、（ｂ）はスマートフォンの画面に表示される表示画面情報が横長の画面用のものである場合を示す図である。
【発明を実施するための形態】
【００１５】
以下に、本発明の実施の形態について図面を参照して説明する。
【００１６】
図１は、本発明のタブレット装置を用いた情報表示方法を行うための構成を示す図である。
【００１７】
本形態は図１に示すように、縦長の画面を具備して縦持ちの状態で操作されるスマートフォン１００と、横長の画面を具備して横持ちの状態で操作されるタブレット装置２００とが接続されて構成され、スマートフォン１００の画面に表示される表示画面情報を、タブレット装置２００にて取得して表示するものである。
【００１８】
スマートフォン１００は、外部機器と接続可能なインターフェースを有し、このインターフェースは画像データや電話帳等の各種データのやりとりが可能な通信手段を具備する携帯電話機能と、携帯情報端末（ＰＤＡ）機能とを合わせ持った携帯端末である。
【００１９】
タブレット装置２００は、スマートフォン１００の表示画面の画角サイズよりも大きな画角サイズを有し、スマートフォン１００と接続されることにより、スマートフォン１００の画面に表示される表示画面情報を取得して表示する。その際の詳細な動作については後述する。
【００２０】
また、これらスマートフォン１００とタブレット装置２００とは、タブレット装置２００の画面を操作することによりスマートフォン１００の操作を可能とする手段を有する。
【００２１】
図２は、図１に示したスマートフォン１００の回路構成の要部を示すブロック図である。
【００２２】
図１に示したスマートフォン１００は図２に示すように、ＣＰＵ（中央処理装置）１１０と、ＲＯＭ１１１と、作業用メモリ１１２と、不揮発メモリ１１３と、無線機送受信部１１４と、ＬＥＤ部１１５と、加速度センサー１２６と、外部インターフェース部１１６と、キー入力部１１７と、キーバックライト１１８と、表示部１２０と、表示制御部１１９と、マイク１２１と、スピーカー１２２と、レシーバ１２３と、近距離無線送受信部１２４と、電源制御部１２５とから構成されている。
【００２３】
ＣＰＵ１１０は、バス１３０を介してスマートフォン１００内の上記構成要素とそれぞれ接続されており、各構成要素を制御するものである。
【００２４】
ＲＯＭ１１１は、ＣＰＵ１１０が実行するための通信制御や省電力制御といった各種の制御プログラムや、音声着信時等に用いられる各種メロディを鳴音するための固定的なメロディデータを格納したリード・オンリー・メモリである。
【００２５】
作業用メモリ１１２は、ＲＡＭ（ランダム・アクセス・メモリ）によって構成されており、ＣＰＵ１１０がプログラムを実行する上で一時的に必要とされるデータを格納するようになっている。
【００２６】
不揮発メモリ１１３は、データの消去、書き込みを自由に行うことができ、電源を切っても内容が消えない半導体メモリであって、電話帳データや着信時のイルミネーション等の各種設定値やユーザーデータ等を格納できるようになっている。
【００２７】
無線機送受信部１１４は、無線によってデータの送受信を行う回路である。
【００２８】
ＬＥＤ部１１５は、複数の発色が可能なＬＥＤ部品により構成される。各々のＬＥＤの点滅パターンを変えることにより、着信時等のイルミネーション機能の発光部として利用される。
【００２９】
加速度センサー１２６は、歩数計や画面表示の上下方向を決めるために用いられるセンサーであって、スマートフォン１００に加わる加速度の大きさ及び方向を検出するものである。
【００３０】
外部インターフェース部１１６は、外部機器と接続するためのインターフェース部であり、充電器やパーソナルコンピュータ等を接続するＵＳＢ、画像や音声等を接続するＨＤＭＩ等、いくつかのコネクタから構成され、様々な機器との接続を可能とするものである。
【００３１】
キー入力部１１７は、各種のキー（メニューキー、ホームキー、クリアキー、電源キー、ボリュームキーと外部に配置されるハードキーの他、タッチパネル等の入力デバイスによるソフトキー入力も含む）より入力を受け付ける入力回路である。
【００３２】
キーバックライト１１８は、メニューキー等、ハードキーの照光として利用される。
【００３３】
表示部１２０は、情報を表示するものであって、ＲＯＭ１１１や不揮発メモリ１１３に格納された情報や、無線機送受信部１１４や近距離無線送受信部１２４を介して受信された情報等を表示する。
【００３４】
表示制御部１１９は、表示部１２０の表示を制御する制御回路である。
【００３５】
マイク１２１、スピーカー１２２、レシーバ１２３は、通話を行う際に使用する音響部品であり、マイク１２１にて送話者の音声を入力し、スピーカー１２２またはレシーバ１２３より相手話者の音声を出力する。
【００３６】
近距離無線送受信部１２４は、Bluetooth等の機器同士をつなぐ無線通信を行う。
【００３７】
電源制御部１２５は、スマートフォン１００の主電源である充電用電池（不図示）や、外部インターフェース１１６からの電源供給を制御する。
【００３８】
図３は、図１に示したタブレット装置２００の回路構成の要部を示すブロック図である。
【００３９】
図１に示したタブレット装置２００は図３に示すように、ＣＰＵ（中央処理装置）２１０と、ＲＯＭ２１１と、作業用メモリ２１２と、不揮発メモリ２１３と、加速度検出手段となる加速度センサー２２１と、情報取得手段となる外部インターフェース部２１４と、指定手段となるキー入力部２１５と、表示部２１７と、表示制御部２１６と、スピーカー２１８と、近距離無線送受信部２１９と、電源制御部２２０とから構成されており、ＣＰＵ２１０と表示制御部２１６とから制御手段が構成される。
【００４０】
ＣＰＵ２１０は、バス２３０を介してタブレット装置２００内の上記構成要素とそれぞれ接続されており、各構成要素を制御するものである。
【００４１】
ＲＯＭ２１１は、ＣＰＵ２１０が実行するための通信制御や省電力制御といった各種の制御プログラムを格納したリード・オンリー・メモリである。
【００４２】
作業用メモリ２１２は、ＲＡＭ（ランダム・アクセス・メモリ）によって構成されており、ＣＰＵ２１０がプログラムを実行する上で一時的に必要とされるデータを格納するようになっている。
【００４３】
不揮発メモリ２１３は、データの消去、書き込みを自由に行うことができ、電源を切っても内容が消えない半導体メモリである。
【００４４】
加速度センサー２２１は、歩数計や画面表示の上下方向を決めるために用いられるセンサーであって、タブレット装置２００に加わる加速度の大きさ及び方向を検出するものである。
【００４５】
外部インターフェース部２１４は、外部機器と接続するためのインターフェース部であり、充電器やパーソナルコンピュータ等を接続するＵＳＢ、画像や音声等を接続するＨＤＭＩ等、いくつかのコネクタから構成され、様々な機器との接続を可能とするものである。本形態におけるスマートフォン１００との接続も、外部インターフェース部２１４を介して行われる。
【００４６】
キー入力部２１５は、電源キーのようなハードキーの他、タッチパネル等の入力デバイスによるソフトキー入力により入力を受け付ける入力回路である。
【００４７】
表示部２１７は、情報を表示するものであって、ＲＯＭ２１１や不揮発メモリ２１３に格納された情報や、近距離無線送受信部２１９を介して受信された情報や、外部インターフェース部２１４を介して入力された表示画面情報等を表示する。
【００４８】
表示制御部２１６は、表示部２１７の表示を制御する制御回路である。
【００４９】
スピーカー２１８は、動画再生や音楽再生等、マルチメディア再生時に音声を出力する。
【００５０】
近距離無線送受信部２１９は、Bluetooth等の機器同士をつなぐ無線通信を行う。
【００５１】
電源制御部２２０は、タブレット端末２００の主電源である充電用電池（不図示）からの電源供給を制御する。
【００５２】
なお、本形態におけるタブレット装置２００は、通信機能を持たないものを例に挙げて説明したが、通信機能をもつタブレット端末であってもよい。その場合、スマートフォン１００と同様に無線機送受信部を有することになる。
【００５３】
以下に、上記のように構成されたスマートフォン１００及びタブレット装置２００において、スマートフォン１００の表示部１２０に表示される表示画面情報をタブレット装置２００の表示部２１７に表示する際の処理について説明する。
【００５４】
図４は、図１〜図３に示した構成においてスマートフォン１００の表示部１２０に表示される表示画面情報をタブレット装置２００の表示部２１７に表示する際の処理の一例を説明するためのフローチャートである。図５は、図１〜図３に示した構成においてスマートフォン１００の表示部１２０に表示される表示画面情報をタブレット装置２００の表示部２１７に表示する際の処理の一例を説明するための図である。
【００５５】
スマートフォン１００とタブレット装置２００との接続処理が完了すると（ステップ１）、まず、スマートフォン１００の表示部１２０に表示される表示画面情報Ａが、外部インターフェース部１１６，２１４を介してタブレット装置２００にて取得されるが、その際、ＣＰＵ２１０において、取得された表示画面情報Ａについて、横長の画面用となる横画面用レイアウトが存在しないかどうかを判定する（ステップ２）。
【００５６】
そして、横画面用レイアウトが存在しない場合は、ＣＰＵ２１０及び表示制御部２１６において、取得した表示画面情報Ａを、左方向に９０度回転させ、縦横アスペクト比を同率としてタブレット装置２００の表示部２１７の画面いっぱいに拡大表示する（ステップ３）。
【００５７】
また、ＣＰＵ２１０において、タブレット装置２００の下方向を示す傾きを重力の向きに合わせて左方向に９０度回転させて変換し、加速度センサー２２１にて検出された加速度について横長の方向を上下方向として認識する（ステップ４）。なお、タブレット装置２００が横持ちの状態で操作されている場合は、タブレット装置２００の下方向を示す傾きを変換せず、加速度センサー２２１にて検出された加速度について横長に直交する方向を上下方向として認識することになる。
【００５８】
また、横画面用レイアウトが存在する場合は、ＣＰＵ２１０及び表示制御部２１６において、取得した横画面用レイアウトを用いて、その表示画面情報Ａをタブレット装置２００の表示部２１７の画面いっぱいに拡大表示する（ステップ５）。
【００５９】
（他の実施の形態）
タブレット装置２００において、スマートフォン１００から取得した表示画面情報を、９０度回転させて縦横アスペクト比を同率として表示部２１７の画面いっぱいに拡大表示するかしないかの設定を設け、「拡大表示しない」に設定されている場合は、スマートフォン１００から取得した表示画面情報を９０度回転させず表示部２１７にてセンタリング表示することも考えられる。またその際、タブレット装置２００の下方向を示す傾きを、９０度回転させて変換する処理も行わない。
【００６０】
図６は、図１〜図３に示した構成においてスマートフォン１００の表示部１２０に表示される表示画面情報をタブレット装置２００の表示部２１７に表示する際の処理の他の例を説明するためのフローチャートである。
【００６１】
スマートフォン１００とタブレット装置２００との接続処理が完了すると（ステップ１１）、まず、スマートフォン１００の表示部１２０に表示される表示画面情報が、外部インターフェース部１１６，２１４を介してタブレット装置２００にて取得されるが、その際、ＣＰＵ２１０において、取得された表示画面情報について、横長の画面用となる横画面用レイアウトが存在しないかどうかを判定する（ステップ１２）。
【００６２】
そして、横画面用レイアウトが存在しない場合は、ＣＰＵ２１０において、スマートフォン１００から取得した表示画面情報を、９０度回転させて縦横アスペクト比を同率として表示部２１７の画面いっぱいに拡大表示するかしないかの設定を参照し、「拡大表示する」に設定されているかどうかを判定する（ステップ１３）。なお、スマートフォン１００から取得した表示画面情報を、９０度回転させて縦横アスペクト比を同率として表示部２１７の画面いっぱいに拡大表示するかしないかの設定は、キー入力部２１５を介して予め指定されており、ＣＰＵ２１０はこの指定を参照することになる。
【００６３】
そして、上記設定が「拡大表示する」に設定されている場合、ＣＰＵ２１０及び表示制御部２１６において、取得した表示画面情報を、左方向に９０度回転させ、縦横アスペクト比を同率としてタブレット装置２００の表示部２１７の画面いっぱいに拡大表示する（ステップ１４）。
【００６４】
また、ＣＰＵ２１０において、タブレット装置２００の下方向を示す傾きを重力の向きに合わせて左方向に９０度回転させて変換し、加速度センサー２２１にて検出された加速度について横長の方向を上下方向として認識する（ステップ１５）。なお、タブレット装置２００が横持ちの状態で操作されている場合は、タブレット装置２００の下方向を示す傾きを変換せず、加速度センサー２２１にて検出された加速度について横長に直交する方向を上下方向として認識することになる。
【００６５】
また、横画面用レイアウトが存在する場合は、ＣＰＵ２１０及び表示制御部２１６において、取得した横画面用レイアウトを用いて、その表示画面情報をタブレット装置２００の表示部２１７の画面いっぱいに拡大表示する（ステップ１６）。
【００６６】
また、上記設定が「拡大表示しない」に設定されている場合は、スマートフォン１００から取得した表示画面情報を９０度回転させず表示部２１７にてセンタリング表示する（ステップ１７）。
【００６７】
このように、縦長の画面を具備して縦持ちの状態で操作されるスマートフォン１００を、横長の画面を具備して横持ちの状態で操作されるタブレット装置２００に接続した場合、スマートフォン１００の表示部１２０に表示される縦画面用レイアウトの表示画面情報を、９０度回転させ、縦横アスペクト比を同率としてタブレット装置２００の表示部２１７の画面いっぱいに拡大表示することにより、スマートフォン１００の表示部１２０に表示される表示画面情報に横画面用のレイアウトが存在しない場合においても、縦画面用のレイアウトをタブレット装置２００上に拡大して表示することが可能になる。
【００６８】
またこの際、タブレット装置２００は横持ちから縦持ちの状態になるが、タブレット装置２００の下方向を示す傾きについても重力の向きに合わせて９０度回転させて変換することにより、例えば、加速度センサー２２１を用いたゲームやアプリケーションを利用する際も、タブレット装置２００を縦持ちしていることを基準にして利用することが可能になる。
【００６９】
なお、上述した実施の形態においては、スマートフォン１００の表示部１２０に表示される縦画面用レイアウトの表示画面情報を左方向に９０度回転させているが、９０度の回転方向は右方向であってもよく、いずれか一方に任意に設定可能である。ただし、その場合でも、タブレット装置２００の下方向を示す傾きを変換する際の回転方向をこれと同一とさせる必要がある。
【００７０】
また、スマートフォン１００の表示部１２０に表示される縦画面用レイアウトの表示画面情報を、タブレット装置２００の表示部２１７の画面いっぱいに拡大表示するものに限らず、スマートフォン１００の画面解像度とタブレット装置２００の画面解像度の関係によって、スマートフォン１００の表示部１２０に表示される縦画面用レイアウトの表示画面情報を、タブレット装置２００の横長の画面に応じたレイアウト枠内にて縦横のアスペクト比を同率として拡大して表示するものであればよい。例えば、スマートフォン１００の画面解像度が８００×４８０であって、タブレット装置２００の画面解像度が１０２４×６００の場合は、拡大表示しない処理においては縮小表示となる。また、スマートフォン１００の画面解像度が８００×４８０であって、タブレット装置２００の解像度が１９２０×１０８０である場合は、拡大表示する処理においては、１６００×９６０の２倍角に拡大してセンタリング表示することになる。すなわち、スマートフォン１００の表示部１２０に表示される縦画面用レイアウトの表示画面情報を、タブレット装置２００の表示部２１７の画面いっぱいに拡大表示するのではなく、所定のレイアウト枠内で、「拡大しない」場合においては、アスペクト比を変えずに縮小表示することも考えられ、「拡大する」場合においては、レイアウト枠内でアスペクト比を変えないで拡大表示することも考えられる。
【符号の説明】
【００７１】
１００    スマートフォン
１１０，２１０    ＣＰＵ
１１１，２１１    ＲＯＭ
１１２，２１２    作業用メモリ
１１３，２１３    不揮発メモリ
１１４    無線機送受信部
１１５    ＬＥＤ部
１１６，２１４    外部インターフェース部
１１７，２１５    キー入力部
１１８    キーバックライト
１１９，２１６    表示制御部
１２０，２１７    表示部
１２１    マイク
１２２，２１８    スピーカー
１２３    レシーバ
１２４，２１９    近距離無線送受信部
１２５，２２０    電源制御部
１２６，２２１    加速度センサー
２００    タブレット装置
【図１】
2013120472.tif 000003
【図２】
2013120472.tif 000004
【図３】
2013120472.tif 000005
【図４】
2013120472.tif 000006
【図５】
2013120472.tif 000007
【図６】
2013120472.tif 000008
【図７】
2013120472.tif 000009